(57)【特許請求の範囲】
【請求項１】
キャビネットの下部に設けられた温風吹出口の前面に設置可能で、足で操作することによりスイッチ手段をＯＮ，ＯＦＦし得る操作板を備えたフットスイッチにおいて、
前記操作板を前方側へ寝かせて前記温風吹出口を開けた開位置となるように、前記操作板の一端を床面に当接させて前記操作板の他端を回動取り付け可能な下側軸と、
前記操作板を立てて前記温風吹出口を閉ざす閉位置となるように、前記操作板の一端を前記下側軸に回動取り付けまたは当接させるとともに前記操作板の他端を当接または回動取り付け可能な上側軸とを備え、
前記開位置または閉位置の何れの状態においても前記操作板を取付け可能であり、前記操作板が操作された時に前記上側軸または前記下側軸が移動して前記スイッチ手段をＯＮ，ＯＦＦするように構成したことを特徴とするフットスイッチ。
【発明の詳細な説明】
【０００１】
【産業上の利用分野】
この発明は、足で操作することにより水栓装置を開閉操作できるフットスイッチに関するものである。
【０００２】
【従来の技術及びその課題】
従来、図１７に示すように、流し台キャビネット５１の上面には水栓５２が立設されており、この水栓５２から垂下状に水及び湯用の供給管５３，５３が垂設され、その下端には給水弁５４，５４がそれぞれ取り付けられて、各給水弁５４，５４は電気的に制御部５５に接続されており、この制御部５５にフットスイッチ５７が接続されたものとなっており、フットスイッチ５７は流し台キャビネット５１の下端のけこみ部５６の前面に取り付けられて、足で操作されるものであり、フットスイッチ５７が踏まれると、図１８のブロック図で示すように、制御部５５を介し前記給水弁５４，５４がＯＮされて、これにより水栓５２から湯水が吐出されるものとなっている。
このようなフットスイッチ５７は、前記流し台キャビネット５１のけこみ部５６に、足元へ温風を吹き出す温風吹出口５８及び吸込口５９が図１９のように取り付けられている場合には、この前面に取り付けると温風吹出口５８とか吸込口５９を蓋することとなるため、従来においては、温風吹出装置とこのフットスイッチ５７を併設することはできないという問題点があった。
【０００３】
【課題を解決するための手段】
本発明は上記従来の問題点に鑑み案出したものであって、温風吹出装置とともに併設することのできるフットスイッチを提供せんことを目的とし、その要旨は、キャビネットの下部に設けられた温風吹出口の前面に設置可能で、足で操作することによりスイッチ手段をＯＮ，ＯＦＦし得る操作板を備えたフットスイッチにおいて、前記操作板を前方側へ寝かせて前記温風吹出口を開けた開位置となるように前記操作板の一端を床面に当接させて前記操作板の他端を回動取り付け可能な下側軸と、前記操作板を立てて前記温風吹出口を閉ざす閉位置となるように前記操作板の一端を前記下側軸に回動取り付けまたは当接させるとともに前記操作板の他端を当接または回動取り付け可能な上側軸とを備え、前記開位置または閉位置の何れの状態においても前記操作板を取付け可能であり、前記操作板が操作された時に前記上側軸または前記下側軸が移動して前記スイッチ手段をＯＮ，ＯＦＦするように構成したことである。
【０００４】
【実施例】
以下、本発明の実施例を図面に基づいて説明する。
図１は、前記流し台キャビネット５１の下端のけこみ部５６に温風吹出口５８及び吸込口５９が設けられている場合でも、その前面に取付可能なフットスイッチ１を示すものであり、このフットスイッチ１は操作板２が開閉可能なものとなっており、図２の斜視図で示すように、前記温風吹出口５８及び吸込口５９の前面にこのフットスイッチ１を設置して、操作板２を前方、即ち床側へ開けた状態で、操作板２を足で踏圧しＯＮ，ＯＦＦ操作ができるように構成したものであり、フットスイッチ１を操作できると同時に、温風吹出口５８から温風を吹き出させて足元を良好に暖めることができるようになる。
【０００５】
なお、足元温風を行わない場合、即ち温風吹出装置を使用しない場合には、図３に示すように、フットスイッチ１の操作板２を上方へ回動させて閉じ、前記温風吹出口５８及び吸込口５９を閉ざした状態とすることができ、この閉ざした状態で図４に示すように、前方側より操作板２を足で押圧してＯＮ，ＯＦＦ操作できるように構成したものである。
【０００６】
即ち、開けた状態でも、また閉じた状態でも操作できる操作板２を備えたフットスイッチ１の第１実施例を図５〜図８で説明すると、図５は、操作板２を開いた状態の正面構成図であり、また図６は、操作板２を閉じた状態の正面構成図であり、また図７は、操作板２を開けた状態における側面作用構成図であり、また図８は、操作板２を閉じた状態の側面作用構成図である。
【０００７】
図において、操作板２は板状に形成されており、横方向に配設されたアーム軸３に内側下端を連結しており、このアーム軸３の両端側はアーム４，４の下端部に連結されたものとなっており、両側のアーム４，４の上端付近にはスイッチ軸５が設けられて、両端側の固設部６，６に連繋されたものとなっており、スイッチ軸５が移動することにより固設部６内に内装されているマイクロスイッチ等がＯＮ，ＯＦＦ操作されるように構成されている。なお、図中７は固設部６をけこみ部５６の前面に固設する取付ボルトである。
【０００８】
図７は、前記アーム軸３から前方側へ操作板２を倒して開けた状態であり、この状態では操作板２の前端が床面に当接した状態となり、アーム軸３は床面より上部に位置するように構成されており、図７のような状態で、開けられた操作板２の上面に足を載せて下方側へ操作板２を踏圧すると、アーム軸３を介しアーム４が矢印のように下方側へ押され、これによりアーム４の上端付近に設けられているスイッチ軸５が下方側へ移動して、これによりマイクロスイッチ等がＯＦＦ状態となり、この時に前述した図１２に示す制御部５５を介し給水弁５４，５４がＯＮされて水栓５２から吐水が行われるものである。従って、図７の操作板２を開けた状態では、同時に温風吹出口５８から温風を吹き出して使用者の足元を暖めることができるものとなり、温風吹出装置とフットスイッチが同時に使用可能となる。
なお、図７において、アーム４を４ａの位置にスイッチ軸５を支点として持ち上げ、かつ操作板２を２ａの位置まで持ち上げることにより、前記吸込口５９の内側のフィルターを良好に交換することができるものとなる。
【０００９】
なお、温風吹出装置を使用しない場合には、図８に示すように、操作板２をアーム軸３を中心として上方へ回動させ、操作板２の上端をスイッチ軸５に当接状態で閉ざすことができ、このような閉状態では図８に示すように、操作板２を前面より矢印方向に押圧操作することにより、前記スイッチ軸５が移動されて、これにより水栓５２の開閉操作を行うことができるものとなる。
【００１０】
従って、温風吹出装置を使用する際には、図７のように温風吹き出しの邪魔にならない位置に操作板２を開けて、この状態で操作板２をＯＮ，ＯＦＦ操作することができ、また、温風吹出装置を使用しない場合には、図８のように操作板を閉じて、この状態でも前面側より操作板２を押圧してＯＮ，ＯＦＦ操作を良好に行うことができるものとなり、けこみ部５６の前記温風吹出口５８及び吸込口５９の前面側に良好にフットスイッチ１を設置して、温風吹出装置とフットスイッチ１の両者を同時に使用することができるものとなる。
【００１１】
次に、図９〜図１１にはフットスイッチの第２実施例を示し、図９は、操作板２が開状態の正面構成図であり、図１０は、操作板２が開状態の配置構成を示す側面拡大構成図であり、図１１は、操作板２を閉状態に配置した側面拡大構成図である。
図９、図１０の開状態、即ち、温風吹出口５８から温風を吹き出して使用者の足元を暖める場合においては、操作板２の両端側に形成された取付リング部２Ａが、両端側の固設部６，６から突出した支点軸９に取り付けられ、支点軸９は固設部６内に内装されているマイクロスイッチ１１の接触子にバネ１０を介し接触状態で配設され、バネ１０は固定軸１３に巻着支持されている。また、操作板２は上方の固定軸１２にも取り付け可能に構成されており、固設部６，６の上部部位に突出した固定軸１２に操作板２を図１１のように取り付けることができ、この状態では操作板２の下端側が支点軸９に当接して前記温風吹出口５８及び吸込口５９の前面側を閉ざした状態となる。
【００１２】
図９のように操作板２を開状態に取り付け配置した状態で、操作板２の上面に足を載せて下方側へ踏圧すると、図１０に示すようにバネ１０を押し下げて支点軸９が下動し、これによりマイクロスイッチ１１の接触子から支点軸９が離反されて、マイクロスイッチ１１はＯＦＦとなり、この時に制御部５５を介し給水弁５４がＯＮされて、水栓５２から吐水が行われるものであり、足を離した時には、バネ１０の付勢力により支点軸９は上方へ復帰して再びマイクロスイッチ１１の接触子に接触してマイクロスイッチ１１がＯＮ状態となる。
【００１３】
また、図１１のように操作板２を閉状態に取り付け配置した状態で、操作板２の前面に足を当てて蹴ると、前記支点軸９が矢印方向に移動することとなり、これにより支点軸９がマイクロスイッチ１１の接触子から離反されてマイクロスイッチ１１がＯＦＦ状態となる。即ち、操作板２を閉じた状態においても足で操作してマイクロスイッチ１１を良好にＯＮ，ＯＦＦさせることができる。
【００１４】
このように、温風吹出口５８から温風を吹き出して足元を暖める時には、操作板２を支点軸９に取り付け、開けた状態で踏圧操作して良好に水栓５２をフットスイッチ１により開閉することができ、また、温風吹出装置を使用しない時には操作板２を固定軸１２に取り付け、閉ざした状態で、通常のフットスイッチと同様に操作板２を蹴る等して良好に水栓５２の開閉操作を行うことができるものとなる。従って、この第２実施例のフットスイッチ１においても温風吹出口５８及び吸込口５９の設けられたけこみ部５６の前面に設置して温風吹出装置と併設させることが可能となる。
【００１５】
次に図１２〜図１６にはフットスイッチの第３実施例を示し、図１２は、操作板が閉位置にある状態を示した斜視構成図であり、また図１３は、操作板が開位置にある状態を示した斜視構成図である。また図１４及び図１５は、操作板が開位置において操作される状態を示す側面構成図であり、また図１６は、操作板の開状態における操作状態の側面構成図である。
【００１６】
図において、キャビネットのけこみ部に固設される本体部６Ａ，６Ａ間には、下方側に可動軸９Ａが横方向に配設されており、この可動軸９Ａは本体部６Ａ内に内装されたマイクロスイッチ１１の接点に当接されて、スプリング１５の付勢力により常にはマイクロスイッチ１１をＯＮ状態に維持しており、この可動軸９Ａには操作板２の一端縁側の取付リング部２Ａを回動可能に取り付けることができるように構成されており、図１２の閉状態では操作板２の他端縁側、即ち上端側は本体部６Ａ，６Ａ間の上方側に横設されたガイドバー１３に当接されて閉位置に維持されるように構成されており、また、このガイドバー１３の前方側にはそれぞれ本体部６Ａ，６Ａから内側へ突出してストッパー１４が設けられたものとなっており、操作板２の上端側はガイドバー１３とストッパー１４間に配設されたものとなっている。なお、前記本体部６Ａ内に内蔵されたマイクロスイッチ１１にはワイヤーハーネス１６が接続されている。
【００１７】
この図１２の閉位置において、図１４に示すように使用者が操作板２を足で押圧操作することにより、図１４の矢印方向に可動軸９Ａが移動し、この可動軸９Ａが移動した時にはマイクロスイッチ１１の接点から可動軸９Ａが離れて、これによりマイクロスイッチ１１がＯＦＦされ、これにより電磁弁で構成される給水弁５４がＯＮされて水栓５２から吐水が行われ、足を離した時にはスプリング１５の付勢力により可動軸９Ａは上方へ復帰して、再びマイクロスイッチ１１の接点に接触してマイクロスイッチ１１がＯＮ状態となるように構成されている。
【００１８】
なお、操作板２を図１５の矢印で示すように踏み込み、前記可動軸９Ａを移動させてマイクロスイッチ１１をＯＮ，ＯＦＦさせる操作も可能である。
また、前記操作板２の取付リング部２Ａを一旦、可動軸９Ａから外し、操作板２を反転させて、図１３及び図１６に示すように、再び取付リング部２ａを可動軸９Ａに取り付けて、操作板２を床面上に開状態で配置させることができ、この図１３及び図１６の状態では、操作板２を踏み圧することにより矢印のように可動軸９Ａが下方側へ移動されて、これによりマイクロスイッチ１１がＯＦＦされるものであり、操作板２は使用者の好みに応じて良好な操作性が得られるように、図１２のような閉状態に設けることも、また図１３のように開状態に設けることも可能であり、操作板２の取付リング部２Ａを可動軸９Ａから容易に着脱して使用者の好みにより操作板２を開位置または閉位置に配置させることができる。
【００１９】
なお、けこみ部５６に温風吹出口５８が形成されている場合には、図１３のような開状態で操作板２を使用することとなるが、温風吹出口５８が設けられていない場合にも、使用者の好みにより自由に図１２または図１３の何れかの形態でフットスイッチ１を使用することができるものとなる。
なお、温風吹出口５８が形成されている場合には、上端側のガイドバー１３を取り外して、操作板２を開状態とさせ使用することができる。
また、前記ストッパー１４を本体部６Ａ内に押し込むことができるように構成しておけば、操作板２の取付リング部２Ａを可動軸９Ａから取り外すことなく、可動軸９Ａに操作板２の一端縁側を連結状に取り付けたままの状態で、ストッパー１４を本体部６Ａ内に押し込んで自由に操作板２を可動軸９Ａを支点として開状態または閉状態へ回動させることができ、図１２の状態から容易に図１３の状態へ変化させることができ、またその逆も可能となる。
【００２０】
【発明の効果】
本発明は、キャビネットの下部に設けられた温風吹出口の前面に設置可能で、足で操作することによりスイッチ手段をＯＮ，ＯＦＦし得る操作板を備えたフットスイッチにおいて、前記操作板を前方側へ寝かせて前記温風吹出口を開けた開位置となるように前記操作板の一端を床面に当接させて前記操作板の他端を回動取り付け可能な下側軸と、前記操作板を立てて前記温風吹出口を閉ざす閉位置となるように前記操作板の一端を前記下側軸に回動取り付けまたは当接させるとともに前記操作板の他端を当接または回動取り付け可能な上側軸とを備え、前記開位置または閉位置の何れの状態においても前記操作板を取付け可能であり、前記操作板が操作された時に前記上側軸または前記下側軸が移動して前記スイッチ手段をＯＮ，ＯＦＦするように構成したことにより、操作板を開位置または閉位置に配置させて温風吹出口の前面にフットスイッチを設置することができ、何れの位置においても足で操作板を操作することによりスイッチ手段をＯＮ，ＯＦＦでき、構造を単純化して良好な操作機能を達成できる。また、温風吹出口から温風を吹き出させる時には操作板を開位置にして、温風を吹き出させるとともに、操作板を操作してフットスイッチによる水栓等のＯＮ，ＯＦＦ操作を行うことができる効果を有する。
【図面の簡単な説明】
【図１】  温風吹出口の前面にフットスイッチを設置する際の斜視構成図である。
【図２】  設置後にフットスイッチの操作板を開けて操作し、同時に温風吹出口から温風を吹き出し使用している状態の斜視構成図である。
【図３】  操作板を閉ざした状態の斜視構成図である。
【図４】  操作板を閉ざした状態でフットスイッチを操作している状態の斜視構成図である。
【図５】  第１実施例のフットスイッチの開状態の正面構成図である。
【図６】  フットスイッチの操作板を閉ざした状態の正面構成図である。
【図７】  第１実施例のフットスイッチの操作板を開けて足で操作する際の作用説明側面図である。
【図８】  第１実施例のフットスイッチの操作板を閉ざした状態で操作する際の作用を説明する側面構成図である。
【図９】  第２実施例のフットスイッチの操作板を開いた状態の正面構成図である。
【図１０】  図９のフットスイッチの側面拡大配置構成図である。
【図１１】  第２実施例のフットスイッチの操作板を閉ざした状態の側面構成図である。
【図１２】  第３実施例のフットスイッチの操作板を閉じた状態の斜視構成図である。
【図１３】  第３実施例のフットスイッチの操作板を開いた状態の斜視構成図である。
【図１４】  操作板を閉ざした状態で足で押圧操作する時の可動軸の移動状態を示す側面構成図である。
【図１５】  操作板を閉ざした状態で操作板を足で踏み込み操作する際の可動軸の移動状態を示す側面構成図である。
【図１６】  操作板を開いた状態で操作板を踏み圧操作する時の可動軸の移動状態を示す側面構成図である。
【図１７】  従来のフットスイッチを設置した流し台キャビネットの透視斜視構成図である。
【図１８】  従来のフットスイッチと水栓装置の概略ブロック構成図である。
【図１９】  従来のフットスイッチは温風吹出口の前面に設置できないことを示す斜視構成図である。
【符号の説明】
５１  流し台キャビネット
５２  水栓
５４  給水弁
５５  制御部
５６  けこみ部
５８  温風吹出口
５９  吸込口
１  フットスイッチ
２  操作板
２Ａ  取付リング部
３  アーム軸
４  アーム
５  スイッチ軸
６  固設部
６Ａ  本体部
９  支点軸
９Ａ  可動軸
１０Ａ，１０Ｂ  バネ
１１  マイクロスイッチ
１２  固定軸
１３  ガイドバー
１４  ストッパー
１５  スプリング
【図１】
0003790977.tif 000002
【図２】
0003790977.tif 000003
【図３】
0003790977.tif 000004
【図４】
0003790977.tif 000005
【図５】
0003790977.tif 000006
【図６】
0003790977.tif 000007
【図７】
0003790977.tif 000008
【図８】
0003790977.tif 000009
【図９】
0003790977.tif 000010
【図１０】
0003790977.tif 000011
【図１１】
0003790977.tif 000012
【図１２】
0003790977.tif 000013
【図１３】
0003790977.tif 000014
【図１４】
0003790977.tif 000015
【図１５】
0003790977.tif 000016
【図１６】
0003790977.tif 000017
【図１７】
0003790977.tif 000018
【図１８】
0003790977.tif 000019
【図１９】
0003790977.tif 000020